(57)【要約】【課題】カードスロットに挿着されたアダプタ又は該アダプタに挿着された非対応サイズの電子カードが邪魔になって開閉蓋が閉じられなくなっても、電子機器の電源をオン状態にしてアダプタを介した電子カードへのアクセスを可能にすることができる電子カード用アダプタ及び電子機器を提供する。【解決手段】アダプタ３１は、アダプタ本体６１と、デジタルカメラ１１のカードスロット２３に挿着可能な端子部６２と、回動式の押圧部６３とを有している。アダプタ本体のスロット３１ａに大型のメモリカード２５を挿着した状態で、アダプタ３１をデジタルカメラ１１のカードスロット２３に挿着すると、押圧部６３が、検出スイッチ２６の接片２６ｂを押し込んで、検出スイッチ２６がオンする。このため、アダプタ３１が邪魔になって電池蓋２０が閉じられなくても、デジタルカメラ１１が電源オンするようになっている。【選択図】図７
2010146517.tif 000002
【特許請求の範囲】
【請求項１】
電子カードを挿着するためのカードスロットと、少なくともカードスロットを覆う状態に閉じられる開閉蓋と、前記開閉蓋の閉状態を検知する検知手段と、前記検知手段が前記開閉蓋の閉状態を検知すると電源オンする電源手段とを有する電子機器に対して、前記カードスロットに非対応サイズの電子カードを電気的に接続するために前記カードスロットに挿着される電子カード用アダプタであって、
前記カードスロットに挿着可能な端子部と、前記非対応サイズの電子カードを挿着可能な挿着部とを有するアダプタ本体と、
前記アダプタが前記カードスロットに挿着されたときに、前記検知手段により検知される被検知部と
を備えたことを特徴とする電子カード用アダプタ。
【請求項２】
請求項１に記載の電子カード用アダプタにおいて、
前記検知手段は、前記開閉蓋が閉状態に配置されると当該開閉蓋に押圧される被押圧部を有し、前記開閉蓋が閉状態にあって前記被押圧部が押圧されるとオンし、一方、前記開閉蓋が開状態にあって前記被押圧部が押圧されなければオフする接触式センサであり、
前記被検知部は、前記アダプタを前記カードスロットに挿着した状態において、前記被押圧部を押圧可能に前記アダプタ本体に設けられた押圧部であることを特徴とする電子カード用アダプタ。
【請求項３】
請求項１又は２に記載の電子カード用アダプタにおいて、
前記被検知部は、前記アダプタ本体に収納される収納位置と、前記カードスロットへのアダプタ挿着状態において前記検知手段に検知されうる被検知位置とに移動可能に設けられていることを特徴とする電子カード用アダプタ。
【請求項４】
請求項３に記載の電子カード用アダプタにおいて、
前記アダプタは、電子機器の一部に脱着可能に取り付けられる構成であり、前記被検知部を前記被検知位置へ付勢する付勢手段を更に備え、前記アダプタを前記一部に取り付けると、前記被検知部が前記付勢手段の付勢力に抗して前記収納位置に移動し、前記アダプタを前記一部から取り外すと、前記被検知部が前記付勢手段の付勢力により前記被検知位置へ移動するように構成されていることを特徴とする電子カード用アダプタ。
【請求項５】
請求項１乃至４のうちいずれか一項に記載の電子カード用アダプタにおいて、
前記電子カードは、メモリカード又は通信デバイス内蔵型カードであることを特徴とする電子カード用アダプタ。
【請求項６】
請求項１乃至５のうちいずれか一項に記載の電子カード用アダプタと、電子カードと前記電子カード用アダプタのうち一方を選択的に挿着可能なカードスロットと、少なくともカードスロットを覆う状態に閉じられる開閉蓋と、前記開閉蓋の閉状態を検知する検知手段と、前記検知手段が前記開閉蓋の閉状態を検知すると電源オンする電源手段とを備え、
前記電子カード用アダプタは前記電子機器の一部に脱着可能に取り付けられていることを特徴とする電子機器。
【請求項７】
請求項６に記載の電子機器において、
前記電子機器は、電池を収容する電池収容室を備え、前記開閉蓋は、前記電池収容室に収容された電池の抜け落ちを防止するように閉じられる電池蓋を兼ねていることを特徴とする電子機器。
【請求項８】
請求項７に記載の電子機器において、
前記電子カード用アダプタが脱着可能に取り付けられる前記一部とは、前記電池蓋であることを特徴とする電子機器。
【発明の詳細な説明】
【技術分野】
【０００１】
本発明は、電子カード用アダプタ及び電子機器に関する。
【背景技術】
【０００２】
従来、デジタルカメラ（電子スチルカメラ）等の電子機器では、メモリカード等の外部記憶媒体を挿着させるためのカードスロットが設けられている。通常、カードスロット２３は蓋体で覆われる構成となっており、その蓋体が、電池収容室の開口を覆う電池蓋を兼ねる構成のものもある。
【０００３】
ところで、デジタルカメラ等の電子機器では、電池蓋を閉じた状態を検出してオンする検出スイッチが設けられ、電池蓋を閉じないと、電子機器の電源をオンできない構成のものがある。
【０００４】
また、特許文献１には、電子機器に設けられたカードスロットに、非対応サイズのメモリカードを挿着するための変換アダプタが開示されている。
【特許文献１】特開２００１−１８８８８３号公報
【発明の開示】
【発明が解決しようとする課題】
【０００５】
ところで、アダプタを使用して非対応サイズのメモリカードをカードスロットに挿着すると、アダプタやメモリカードのカードスロットからの突出部分が邪魔になって、電池蓋を閉じられなくなる場合があった。この場合、電池蓋を閉じたときにオンする検出スイッチがオンせず、電子機器が電源オン状態とならない。その結果、アダプタを介してカードスロットに挿着したメモリカードからのデータの読み込み及び書き込みができないという問題が生じる。また、メモリカード以外にも、通信デバイス内蔵型カードをカードスロットに挿着して使用する場合もある。しかし、この場合も、通信デバイス内蔵型カードを、アダプタを介してカードスロットに挿着すると、電池蓋が閉じられず、電子機器の電源が同様にオンされないため、通信デバイス内蔵型カードを使用できないという問題が生じる。
【０００６】
本発明は前記の問題点に解決するためになされたものであって、その目的は、カードスロットに挿着されたアダプタ又は該アダプタに挿着された非対応サイズの電子カードが邪魔になって開閉蓋が閉じられなくなっても、電子機器の電源をオン状態にしてアダプタを介した電子カードへのアクセスを可能にすることができる電子カード用アダプタ及び電子機器を提供することにある。
【課題を解決するための手段】
【０００７】
上記目的を達成するために、本発明は、電子カードを挿着するためのカードスロットと、少なくともカードスロットを覆う状態に閉じられる開閉蓋と、前記開閉蓋の閉状態を検知する検知手段と、前記検知手段が前記開閉蓋の閉状態を検知すると電源オンする電源手段とを有する電子機器に対して、前記カードスロットに非対応サイズの電子カードを電気的に接続するために前記カードスロットに挿着される電子カード用アダプタであって、前記カードスロットに挿着可能な端子部と、前記非対応サイズの電子カードを挿着可能な挿着部とを有するアダプタ本体と、前記アダプタが前記カードスロットに挿着されたときに、前記検知手段により検知される被検知部とを備えたことを要旨とする。
【０００８】
この発明によれば、アダプタがカードスロットに挿着されると、被検知部が検知手段により検知される。その結果、電子機器は電源手段により電源オンされる。このため、カードスロットに挿着したアダプタが邪魔になって、開閉蓋を閉じられなくなっても、電子機器を電源オンさせることができる。よって、電子機器は、アダプタを介して電気的に接続された非対応サイズの電子カードとアクセスすることが可能となる。
【０００９】
また、本発明の電子カード用アダプタでは、前記検知手段は、前記開閉蓋が閉状態に配置されると当該開閉蓋に押圧される被押圧部を有し、前記開閉蓋が閉状態にあって前記被押圧部が押圧されるとオンし、一方、前記開閉蓋が開状態にあって前記被押圧部が押圧されなければオフする接触式センサであり、前記被検知部は、前記アダプタを前記カードスロットに挿着した状態において、前記被押圧部を押圧可能に前記アダプタ本体に設けられた押圧部であることが好ましい。
【００１０】
この発明によれば、アダプタをカードスロットに挿着すると、アダプタ本体に設けられた押圧部が被押圧部を押圧することで、接触式センサ（検知手段）が検知状態になる。アダプタに、被押圧部を押圧できるように押圧部を設けた比較的簡単な構成で、開閉蓋を閉じられなくても、電子機器の電源をオンさせてアダプタを介して非対応サイズの電子カードにアクセスすることができる。
【００１１】
また、本発明の電子カード用アダプタでは、前記被検知部は、前記アダプタ本体に収納される収納位置と、前記カードスロットへのアダプタ挿着状態において前記検知手段に検知されうる被検知位置とに移動可能に設けられていることが好ましい。
【００１２】
この発明によれば、被検知部はアダプタ本体に収納される収納位置と、カードスロットへのアダプタ挿着状態で検知手段に検知されうる被検知位置とに移動可能に設けられているので、被検知部は不使用時にアダプタ本体の収納位置に収納でき、カードスロットに挿着する使用時には被検知位置に移動させてそのアダプタをカードスロットに挿着することで、検知手段を検知状態として電子機器を電源オンさせることができる。
【００１３】
本発明の電子カード用アダプタでは、前記アダプタは、電子機器の一部に脱着可能に取り付けられる構成であり、前記被検知部を前記被検知位置へ付勢する付勢手段を更に備え、前記アダプタを前記一部に取り付けると、前記被検知部が前記付勢手段の付勢力に抗して前記収納位置に移動し、前記アダプタを前記一部から取り外すと、前記被検知部が前記付勢手段の付勢力により前記被検知位置へ移動するように構成されていることが好ましい。
【００１４】
この発明によれば、アダプタを電子機器の一部に取り付けると、被検知部が付勢手段の付勢力に抗して収納位置に移動し、アダプタを電子機器の一部から取り外すと、被検知部が付勢手段の付勢力により被検知位置へ移動する。このため、アダプタを電子機器の一部に対する脱着を行うだけで被検知部はその使用／不使用に応じた適切な位置に移動配置される。よって、ユーザが被検知部を収納位置へ移動させたり、収納位置から被検知位置へ移動させたりする面倒な操作の必要がない。
【００１５】
本発明の電子カード用アダプタでは、前記電子カードは、メモリカード又は通信デバイス内蔵型カードであることが好ましい。この発明によれば、電子機器のカードスロットに挿着したアダプタを介して非対応サイズのメモリカード又は通信デバイス内蔵型カードを、電子機器と電気的に接続させることができる。よって、電子機器において非対応サイズのメモリカードを使用できたり、アダプタを介して接続された通信デバイス内蔵型カードを介した通信が可能となる。
【００１６】
本発明は電子機器であって、上記発明の電子カード用アダプタと、電子カードと前記電子カード用アダプタのうち一方を選択的に挿着可能なカードスロットと、少なくともカードスロットを覆う状態に閉じられる開閉蓋と、前記開閉蓋の閉状態を検知する検知手段と、前記検知手段が前記開閉蓋の閉状態を検知すると電源オンする電源手段とを備え、前記電子カード用アダプタは前記電子機器の一部に脱着可能に取り付けられていることを要旨とする。この発明によれば、上記発明の電子カード用アダプタが電子機器の一部に脱着可能に取り付けられているので、上記電子カード用アダプタの発明と同様の作用効果が得られる。
【００１７】
本発明は電子機器であって、前記電子機器は、電池を収容する電池収容室を備え、前記開閉蓋は、前記電池収容室に収容された電池の抜け落ちを防止するように閉じられる電池蓋を兼ねていることが好ましい。この発明によれば、開閉蓋は電池収容室の電池蓋を兼ねており、カードスロットに挿着したアダプタ又は該アダプタに挿着された電子カードが邪魔になって電池蓋を閉じられなくなっても、電子機器を電源オンさせることができる。
【００１８】
本発明は電子機器であって、前記電子カード用アダプタが脱着可能に取り付けられる前記一部とは、前記電池蓋であることが好ましい。この発明によれば、アダプタは電池蓋に脱着可能に取り付けられているので、電池蓋から取り外すことで使用できる。このとき、電池蓋の一部がアダプタとして分離されても、アダプタをカードスロットに挿着した使用状態では、電池蓋は閉じられることはないので何ら問題はない。
【発明を実施するための最良の形態】
【００１９】
（第一実施形態）
以下、本発明をデジタルカメラに具体化した第一実施形態を、図１〜図７に基づいて説明する。
【００２０】
図１に示すように、本実施形態のデジタルカメラ１１（電子スチルカメラ）は、略直方体形状をなすカメラ本体１２を有している。カメラ本体１２の前面側略中央部には撮像レンズ１３が設けられると共に、撮像レンズ１３よりも上側となる位置にはフラッシュ１４（ストロボ発光部）が設けられている。
【００２１】
また、カメラ本体１２の上面左側箇所には、デジタルカメラ１１に撮像動作を開始させるときに撮像者により押し下げ操作（すなわち、オン操作）されるレリーズボタン１６と、デジタルカメラ１１を電源オン状態とするときに撮像者により押し下げ操作される電源スイッチ１７とが設けられている。なお、カメラ本体１２の後面側には、液晶表示装置（Liquid Crystal Display）（以下、「ＬＣＤ１８」という）（図４参照）のモニタ等が設けられている。
【００２２】
図１に示すように、カメラ本体１２の底部左側部分には、電池蓋２０が図１におけるその右端部側を回動中心として回動させることで開閉可能な状態に取り付けられている。カメラ本体１２の内部には、図１に示す閉位置に配置された電池蓋２０により開口が覆われる電池収容室２１（バッテリー室）が設けられている。電池収容室２１には、電池蓋２０を開閉することにより電源電池２２が差し入れできるようになっており、この電池収容室２１には電源電池２２が収容されている。電源電池２２は、例えばリチウムイオン充電池などの充電池からなる。なお、デジタルカメラ１１は、電源電池２２からの電力供給を受けることもできるし、ＤＣ入力端子（図示せず）を用いてＳＣアダプタ（図示せず）等からの外部電力供給を受けることもできる。
【００２３】
さらにカメラ本体１２の内部には、図１に示す閉位置に配置された電池蓋２０に開口が覆われるカードスロット２３が電池収容室２１と隣合う位置に設けられている。カードスロット２３には、脱着自在な記憶媒体（可搬性記憶媒体）であるメモリカード２４（外部記憶メディア）が挿着されている。本実施形態のデジタルカメラ１１は、小型のメモリカード２４に対応しており、カードスロット２３は小型のメモリカード２４を挿着可能なサイズに形成されている。そのため、記憶方式が同じであっても大型のメモリカードは使用できない。また、カメラ本体１２には、電池蓋２０の開閉を検出可能な検出スイッチ２６が、電池蓋２０の回動中心寄り（図１における右端部寄り）の位置に設けられている。
【００２４】
図２は、小型と大型の２種類のメモリカードを示す。メモリカードには、デジタルカメラ１１が対応しているサイズである図２（ａ）に示す小型のメモリカード２４と、デジタルカメラ１１が対応していないサイズである図２（ｂ）に示す大型のメモリカード２５とがある。本例では具体的には、小型のメモリカード２４は「マイクロＳＤカード」であり、大型のメモリカード２５は「ＳＤカード」である。
【００２５】
カードスロット２３は、小型のメモリカード２４に対応した穴サイズに形成されているため、大型のメモリカード２５には非対応な穴サイズとなっており、カードスロット２３への大型のメモリカード２５の直接の挿着は不可能な構成となっている。そのため、本実施形態では、後述する変換アダプタを介することで大型のメモリカード２５である「ＳＤカード」を、カードスロット２３内の端子と電気的に接続することが可能となっている。
【００２６】
図３は、電池蓋２０の開閉を検出する検出機構の部分を示す模式正断面図である。図３（ａ）が、本実施形態のデジタルカメラ１１において、電池蓋２０が開いた状態を示し、図３（ｂ）は電池蓋２０が閉じた状態を示す。
【００２７】
図３に示すように、カメラ本体内部には、検出スイッチ２６が実装されたメイン基板２７が設けられている。このメイン基板２７には、カードスロット２３の装置（メモリカード用リードライタ）、デジタルカメラ１１が取り込んだ画像データを一時記憶するバッファメモリとして一部機能するＲＡＭ５３やＲＯＭ５２を有し、デジタルカメラ１１の各部を統括制御するマイクロコンピュータ４０（いずれも図４参照）、その他各種の回路などが実装されている。
【００２８】
電池蓋２０は、カメラ本体１２側に設けられた支軸２８を中心として回動可能な状態に取り付けられている。
カメラ本体１２には、電池蓋２０の回動中心寄り（図３における右端部寄り）の位置に電池蓋２０の開閉を検出可能な検出スイッチ２６が設けられている。検出スイッチ２６は、本体２６ａと、本体２６ａの接点から離間する方向に付勢された接片２６ｂとを有している。この接片２６ｂは電池蓋２０の開状態では図示しないバネの付勢力により本体２６ａの接点から離間する状態に跳ね上がり、電池蓋２０の閉状態では電池蓋２０に押されて本体２６ａの接点に当接する。
【００２９】
電池蓋２０の内面側には、検出スイッチ２６と対応する位置に凸部２９が設けられている。図３（ｂ）に示すように、電池蓋２０を閉じた状態では、凸部２９が接片２６ｂを押し込んで、接片２６ｂを本体２６ａ側の接点に接触させる。その結果、検出スイッチ２６がオンする。
【００３０】
検出スイッチ２６は、接片２６ｂがＯＮ作動位置に押し込まれた時点からオン状態となる。また、図３に示すように、電池蓋２０が開かれた状態にあるときは、検出スイッチ２６の接片２６ｂは、電池蓋２０の凸部２９による押下が解除されて、自由状態に復帰する。これにより、検出スイッチ２６はオフ状態になる。
【００３１】
よって、検出スイッチ２６がオンの状態にあるときは、電池蓋２０が閉じられた状態にあり、検出スイッチ２６がオフの状態になることによって、電池蓋２０が開かれたことを検知できるようになっている。
【００３２】
検出スイッチ２６の状態は、例えばメイン基板２７に実装されたマイクロコンピュータ４０（図４に示す）によって監視されている。そして、検出スイッチ２６がオフになると、マイクロコンピュータ４０は各素子への信号供給をオフにし、メイン基板２７やサブ基板（図示せず）の動作を終了してから、電源電池２２の取り出しが可能な状態になる。そのため、電池蓋２０を閉じて検出スイッチ２６をオンさせることにより、デジタルカメラ１１に電源電圧が供給されるようになっている。
【００３３】
図４は、デジタルカメラの電気的構成を示すブロック図である。デジタルカメラ１１は、マイクロコンピュータ４０、撮像素子４１、アナログ信号処理回路４２、Ａ／Ｄ変換器４３、操作部４４、ＵＳＢ端子４５、ＬＣＤ１８、リアルタイムクロック４６、カードインタフェース（以下、「カードＩ／Ｆ４７」という）、メモリカード２４（２５）、フラッシュ１４、電源回路４８、検出スイッチ２６及び電源電池２２などを備えている。
【００３４】
撮像素子４１は、例えばＣＣＤからなり、被写体像を撮影して電子的な画像信号を生成する撮影手段として機能するものであり、例えば１６００×１２００個の画素を有し、撮像レンズ１３によって結像された被写体の光像を、画素毎にＲ（赤）、Ｇ（緑）、Ｂ（青）の色成分の画像信号（各画素で受光された画素信号の信号列からなる信号）に光電変換して出力する。
【００３５】
撮像素子４１から得られる画像信号は、アナログ信号処理回路４２に与えられる。アナログ信号処理回路４２は、相関二重サンプリング（ＣＤＳ）回路とオートゲインコントロール（ＡＧＣ）回路とを有している。そして、アナログ信号処理回路４２は、相関二重サンプリング回路により画像信号のノイズ低減処理を行い、オートゲインコントロール回路でゲインを調整することによって画像信号のレベル調整を行う。
【００３６】
Ａ／Ｄ変換器４３は、画像信号の各画素信号を１２ビットのデジタル信号に変換するものである。変換後のデジタル信号は、画像データとして一時的にＲＡＭ５３内のバッファメモリ５３ａに格納される。そして、バッファメモリ５３ａに格納された画像データに対して色補正処理等が施された後、圧縮処理部５７による圧縮処理等が施される。
【００３７】
なお、本実施形態のデジタルカメラ１１はビデオ撮影が可能であり、図示しないマイク及びスピーカを備える。制御部５１内に設けられた図示しない音声処理回路によって音声データに対する各種のデジタル処理を施す音声処理が行われる。
【００３８】
操作部４４は、上述したレリーズボタン１６及び電源スイッチ１７等を含む操作部であり、ユーザがデジタルカメラ１１の設定状態を変更操作する際や撮影操作を行う際等に用いられる。
【００３９】
フラッシュ１４は、マイクロコンピュータ４０により発光制御される。マイクロコンピュータ４０は、図示しない測光素子で取得された環境光の色情報に基づいて必要な照明光の色温度を決定し、フラッシュ１４は、マイクロコンピュータ４０が決定した色温度の照明光を発する。
【００４０】
ＵＳＢ端子４５は、カメラ本体１２の側面に設けられ、ＵＳＢケーブルのコネクタと接続可能となっている。デジタルカメラ１１は、ＵＳＢ端子４５を介して接続されたＵＳＢケーブルを通じて例えばパーソナルコンピュータ（いずれも図示せず）と接続され、パーソナルコンピュータ等との間で画像データの送受信などの通信を行う。また、デジタルカメラ１１は、ＵＳＢケーブルを通じてパーソナルコンピュータ等と接続されているときには、ＵＳＢケーブルを通じて供給されるバスパワーを電源として駆動される。また、ＵＳＢケーブルを通じて供給されるバスパワーを利用して電源電池２２の充電などが行われる。
【００４１】
電源電池２２は、デジタルカメラ１１に対する電源供給源である。デジタルカメラ１１は、リチウムイオン電池などの二次電池を電源として用いて駆動される。
電源回路４８は、マイクロコンピュータ４０の指示により駆動され、電源電池２２の供給電圧を基にデジタルカメラ１１の各部で必要な電圧を生成し、各部に必要な電圧を供給する。
【００４２】
リアルタイムクロック４６は、現在時刻を取得するためのもので、デート写し込み等で必要となる撮影日時の取得に利用される。
マイクロコンピュータ４０は、内部に制御部５１、ＲＯＭ５２及びＲＡＭ５３を備えて構成され、マイクロコンピュータ４０が所定のプログラムを実行することにより、上記各部を統括的に制御する。なお、ＲＯＭ５２は電気的に書き替えが可能な不揮発の半導体メモリ（例えばフラッシュＲＯＭ）であり、ＲＡＭ５３は高速アクセス可能な半導体メモリである。また、ＲＡＭ５３内における一部の領域は、一時記憶用のバッファエリアとして機能するバッファメモリ５３ａとして用いられる。バッファメモリ５３ａは、画像データを一時的に記憶する。
【００４３】
制御部５１は、画像処理部５６、圧縮処理部５７及び電源制御部５８を有している。これらの各処理部５６〜５８は、マイクロコンピュータ４０が所定のプログラムを実行することにより実現される機能部である。
【００４４】
画像処理部５６は、ホワイトバランス処理（ＷＢ処理）、γ補正処理等の各種デジタル画像処理を施す処理部である。ＷＢ処理は、Ｒ，Ｇ，Ｂの各色成分のレベル変換を行い、カラーバランスを調整する処理である。γ補正処理は、画素データの階調を補正する処理である。圧縮方式としては、例えばＪＰＥＧ方式などが採用される。
【００４５】
マイクロコンピュータ４０によって、撮影モード、再生モードの処理が行われる。例えば撮影モードにおいてレリーズボタン１６が操作者によって半押しされると、撮像素子４１から出力される画像データに基づきＡＥ評価値を求め、周知の山登り方式によって合焦位置に撮影レンズを移動させる。また、撮像素子４１で読み取った被写体の輝度情報に基づいて、本撮影時のシャッタスピードと絞りの値とオートホワイトバランスのゲイン値とを決定する。
【００４６】
電源制御部５８は、検出スイッチ２６からオン信号を入力すると、電池蓋２０が閉じられた状態にあると判断し、デジタルカメラ１１を電源オンさせるべく電源回路４８に対して駆動を指令する。また、電源制御部５８は、検出スイッチ２６からオフ信号を入力すると、電池蓋２０が開けられた状態にあると判断し、デジタルカメラ１１を電源オフさせるべく電源回路４８に対して駆動の停止を指令する。
【００４７】
一方、マイクロコンピュータ４０は、撮影モードにおいてレリーズボタン１６が全押しされると、撮像素子４１の解像度を高解像度に設定した後に被写体を撮影し、撮像素子４１で取得された撮影画像データに基づき圧縮処理部５７で圧縮画像を生成する。そして、圧縮された撮影画像データは、記憶媒体として機能するメモリカード２４に記憶されることとなる。
【００４８】
カードＩ／Ｆ４７は、デジタルカメラ１１のカードスロット２３に挿着されているメモリカード２４への画像データの書込み及び読出しを行うためのインタフェースである。
メモリカード２４に対する画像データの読み書き時には、圧縮処理部５７において例えばＪＰＥＧ形式の画像データの圧縮処理が行われ、カードＩ／Ｆ４７を介して画像データがバッファメモリ５３ａとメモリカード２４との間で送受信される。また、音声データの読み書き時においても、カードＩ／Ｆ４７を介して音声データがバッファメモリ５３ａとメモリカード２４との間で送受信される。
【００４９】
図５はアダプタが一体に取り付けられた状態の電池蓋、図６はアダプタが取り外された状態の電池蓋をそれぞれ示し、各図において（ａ）が平面図、（ｂ）が側面図を示す。
図５に示すように、電池蓋２０の一端（図５における右端）には、カメラ本体１２側の支軸２８（図３参照）が挿入される略環状のガイド部６０が形成されている。また、電池蓋２０の他端（図５における左端）には、カメラ本体１２側の係止凹部と係合するフック（いずれも図示省略）が形成されている。
【００５０】
電池蓋２０は、二部品に分離可能に構成され、回動中心側部分を構成する蓋本体３０と、回動先端側部分を構成するアダプタ３１とを備えている。すなわち、電池蓋２０を構成する蓋本体３０から取り外した一部がアダプタ３１として機能する。
【００５１】
蓋本体３０には、アダプタ３１との接続側の面に開口するスロット３０ａが設けられている。スロット３０ａは、小型のメモリカード２４を挿着可能なサイズに形成されている。また、蓋本体３０にはスロット３０ａの開口付近に、スロット３０ａよりも幅方向（図６における上下方向）に長い開口形状を有する嵌合凹部３０ｂが凹設されている。
【００５２】
アダプタ３１は、四角板状のアダプタ本体６１と、アダプタ本体６１の差し込み方向（図６における右方向）側先端部から突出する板状の端子部６２と、アダプタ本体６１に取り付けられた可動式の押圧部６３とにより構成される。アダプタ本体６１には、差し込み方向側と反対側の端面に開口して大型のメモリカード２５を挿着可能なスロット３１ａが形成されている。端子部６２は、小型のメモリカード２４（本例では「マイクロＳＤカード」）と略同じ形状を有し、カードスロット２３に挿着可能となっている。端子部６２は、小型のメモリカード２４と同様の端子を有しており、端子部６２がカードスロット２３に挿着された状態ではその先端部の端子が、カードスロット２３（カードＩ／Ｆ４７）側の端子と電気的に接続されるようになっている。
【００５３】
また、アダプタ本体６１における端子部６２の基部付近の位置には、蓋本体３０側の嵌合凹部３０ｂと嵌合可能な嵌合凸部６１ａが形成されている。このため、アダプタ３１は蓋本体３０に対して嵌合凸部６１ａが嵌合凹部３０ｂと嵌合する力によって、ある程度の強さで一体に接続されるようになっている。もちろん、蓋本体３０とアダプタ３１とを係止させるロック機構（係止機構）を設けることもできる。この場合、アダプタ３１を蓋本体３０に挿着すると、アダプタ３１がロック機構の動作で蓋本体３０にロックされ、ユーザがロック解除用の操作部を押しながらアダプタ３１を引くことでロック機構のロックが解除されてアダプタ３１が蓋本体３０から取り外し可能となる。
【００５４】
図６に示すアダプタ３１に設けられた四角板状の押圧部６３は、検出スイッチ２６の接片２６ｂを押下するためのもので、回動軸６４を中心として回動可能に設けられている。押圧部６３は、アダプタ本体６１内に収納される収納位置（図６（ａ）に破線で示す位置）と、収納位置から約１８０度回動させた位置であってアダプタ本体６１の側面からほぼ垂直に所定の突出量で突出する被検知位置としての突出位置（図６（ａ）に二点鎖線で示す位置）とに配置可能となっている。例えば押圧部６３は、収納位置と突出位置との二位置で図示しない係止部により係止され、その係止された位置で位置決めされるようになっている。その押圧部６３の係止は、ユーザが押圧部６３を手動で回動させる際の力で外れるようになっている。もちろん、係止部を備えず、押圧部６３が摩擦抵抗により収納位置と突出位置とに保持される構成でもよい。
【００５５】
図７は、アダプタをデジタルカメラ１１に挿着して使用する際の使用方法を説明する部分模式正面図である。図７（ａ）はアダプタ挿着前の状態、図７（ｂ）はアダプタ挿着後の状態をそれぞれ示す。
【００５６】
図７（ａ）に示すように、アダプタ３１をデジタルカメラ１１に取り付ける際には、まず電池蓋２０を開き、その電池蓋２０の先端側部分を引き抜くことで、蓋本体３０からアダプタ３１を取り外す。この状態では押圧部６３が収納位置に配置されているので、次に図７（ａ）に矢印で示すように押圧部６３を収納位置から回動させることで、図７（ａ）に実線で示す突出位置に配置する。これに前後して、デジタルカメラ１１側のカードスロット２３に非対応な大型サイズのメモリカード２５を、アダプタ３１のスロット３１ａに挿着する。そして、押圧部６３を突出させたアダプタ３１の端子部６２を、デジタルカメラ１１のカードスロット２３に挿着する。
【００５７】
図７（ｂ）に示すように、アダプタ３１の端子部６２がカードスロット２３に挿着されると、押圧部６３によって検出スイッチ２６の接片２６ｂが本体２６ａ側の接点と接触するまで押し込まれる。その結果、アダプタ３１をカードスロット２３に挿着すれば、電池蓋２０が開いた状態であっても、検出スイッチ２６がオンする。そのため、カードスロット２３に挿着したアダプタ３１が邪魔になって電池蓋２０が閉じられなくなっても、検出スイッチ２６がオンする。よって、アダプタ３１を挿着させたデジタルカメラ１１を、電池蓋２０を開いたままでも、電源オンさせることができる。そのため、デジタルカメラ１１を通常起動することが可能となり、撮影を行うことができる。
【００５８】
以上詳述したようにこの第一実施形態によれば、以下の効果が得られる。
（１）アダプタ３１をカードスロット２３に挿着すると、アダプタ本体６１に設けられた被検知部としての押圧部６３が、検出スイッチ２６により検知されてデジタルカメラ１１の電源がオンされる。よって、カードスロット２３に挿着されたアダプタ３１又は非対応サイズのメモリカード２５が邪魔になって電池蓋２０を閉じられなくなっても、デジタルカメラ１１の電源をオンさせることができる。その結果、デジタルカメラ１１が非対応サイズのメモリカード２５にアクセスすることができ、例えばメモリカード２５からのデータの読込み及びデータの書込み等を行うことができる。
【００５９】
（２）押圧部６３は収納位置と被検知位置との間を移動可能に設けられているので、不使用時には収納されていて邪魔にならず、アダプタ３１使用時には押圧部６３を手で回動操作することで簡単に収納位置から被検知位置に移動させることができる。
【００６０】
（３）検知手段として接触式センサの一種である検出スイッチ２６を採用し、被検出部を、検出スイッチ２６の接片２６ｂを押圧可能な押圧部６３とした。よって、押圧部６３として接触式センサを押圧可能な突出部があればよいので、アダプタ３１の被検出部を比較的簡単な構成に済ませることができる。
【００６１】
（第二実施形態）
次に第二実施形態を図面に基づいて説明する。本実施形態は、第一実施形態では回動式であった押圧部をスライド式とした例である。なお、第一実施形態と共通の構成については説明を省略し、特に異なる部分についてのみ説明する。
【００６２】
図８は、第二実施形態におけるアダプタの平面図を示す。図８（ａ）は押圧部が突出位置に配置された状態、図８（ｂ）は押圧部が収納位置に配置された状態をそれぞれ示す。
図８に示すように、先端部にマイクロＳＤカード型の端子部６２が突出しているアダプタ本体６１には、スライド式の押圧部６３が設けられている。アダプタ本体６１にはその一側面（図８における右側面）に開口するスライド孔（図示せず）が形成されており、このスライド孔内に押圧部６３が移動可能な状態で配置されている。押圧部６３は、付勢手段としてのバネ６６によりアダプタ本体６１の外側へ突出する方向へ付勢されている。また、押圧部６３はプッシュプルタイプであり、押圧部６３が一度押される度にロック・ロック解除が交互に行われる公知のプッシュプル機構（図示省略）がアダプタ本体６１内には設けられている。
【００６３】
プッシュプル機構の働きにより、突出位置（被検知位置）にある押圧部６３をプッシュして収納位置へ押し込むと、押圧部６３がその収納位置でロックされ、その後、再び押圧部６３をプッシュすると、ロックが解除されてバネ６６の付勢力により押圧部６３が突出位置へ移動する構成となっている。なお、押圧部６３は突出方向へ移動したときには、規制手段によって所定の突出量である突出位置に位置決めされる。
【００６４】
（第三実施形態）
次に第三実施形態を図面に基づいて説明する。アダプタの構成は第二実施形態のものとほぼ同様であるが、プッシュプルタイプに替え、蓋本体３０に対する脱着操作に応じて押圧部が自動で突出・収納される構造の例である。
【００６５】
図９は、第三実施形態におけるアダプタ及び蓋本体の部分平面図を示す。図９（ａ）はアダプタを挿着する手前の状態、図９（ｂ）はアダプタが挿着された状態をそれぞれ示す。図９に示すように、押圧部６３は、その先端面が斜面に形成されたガイド面６３ａが形成されている。電池蓋２０の蓋本体３０には、アダプタ３１が蓋本体３０のスロット３０ａに差し込まれる過程で押圧部６３の先端部と対応する部分が、押圧部６３の先端部のガイド面６３ａと同一の傾斜向きかつ略同一の傾斜角の斜面からなるガイド面３０ｃとして形成されている。
【００６６】
アダプタ３１をスロット３０ａに挿着する過程では、押圧部６３のガイド面６３ａが、蓋本体３０側のガイド面３０ｃに沿って摺動することにより、押圧部６３はバネ６６の付勢力に抗して突出位置から収納位置へ向かって徐々に案内される。そして、アダプタ３１がスロット３０ａに挿着された状態では、押圧部６３は図９（ｂ）に示す収納位置に配置される。そして、次にアダプタ３１を蓋本体３０から引き抜くと、その引き抜く過程で、押圧部６３のガイド面６３ａが蓋本体３０側のガイド面３０ｃに沿って摺動することにより、押圧部６３はバネ６６の付勢力によって、収納位置から突出位置へ向かって徐々に案内される。そして、アダプタ３１が蓋本体３０から分離されると、押圧部６３は突出位置に配置される。
【００６７】
よって、アダプタ３１を蓋本体３０から取り外せば、押圧部６３はバネ６６の付勢力で突出位置へ移動し、一方、アダプタ３１を蓋本体３０に取り付ければ、押圧部６３はバネ６６の付勢力に抗して収納位置へ移動する。従って、第一及び第二実施形態では、ユーザが行わなければならなかった押圧部６３の収納位置と突出位置との間での面倒な移動操作が不要になる。
【００６８】
（第四実施形態）
次に第四実施形態を図面に基づいて説明する。本実施形態は電子カードとしてメモリカード以外の電子カードを、デジタルカメラ１１のカードスロットにアダプタを介して挿着する例である。
【００６９】
図１０は、第四実施形態におけるアダプタ及びデジタルカメラの部分平面図を示す。図１０に示すアダプタ３１は、第一実施形態のものと同様であり、アダプタ本体６１と、アダプタ本体６１の差し込み方向側先端部から突出するマイクロＳＤカード型形状（小型メモリカード形状）の端子部６２と、回動式の押圧部６３とを有している。アダプタ３１のスロット３１ａには、電子カードとして通信デバイス内蔵型カード６８が挿着されている。通信デバイス内蔵型カード６８としては、アンテナ内蔵型通信カード（例えばブルートゥース（Bluetooth(Ｒ)）内蔵型通信カード等）や、ワンセグ内蔵型通信カードを挙げることができる。
【００７０】
この実施形態によれば、デジタルカメラ１１のカードスロット２３が非対応サイズであっても、アダプタ３１を介することによりＳＤカード（大型メモリカード）対応型の通信デバイス内蔵型カード６８を、デジタルカメラ１１と電気的に接続することが可能となる。そして、アダプタ３１をカードスロット２３に差し込んだときには、押圧部６３が検出スイッチ２６をオンさせるので、デジタルカメラ１１を電源オンさせることができる。その結果、通信デバイス内蔵型カード６８を介してデジタルカメラ１１により、他の電子機器と通信したり、ワンセグ通信によりＬＣＤ１８の画面を通じてワンセグ通信で放映されているテレビ番組等を視聴したりすることができる。
【００７１】
（第五実施形態）
次に第五実施形態を図面に基づいて説明する。本実施形態のデジタルカメラ１１は、大型のメモリカード２５（本例ではＳＤカード）に対応する穴サイズのカードスロット２３を備えた例であり、非対応サイズの小型のメモリカード２４（本例ではマイクロＳＤカード）を、アダプタを介してデジタルカメラ１１に電気的に接続させるものである。図１１は、第四実施形態におけるアダプタ及びデジタルカメラの部分平面図を示す。図１１に示すように、アダプタ７０は、アダプタ本体７１と、アダプタ本体７１の差し込み方向側先端部から突出するＳＤカード型形状（大型メモリカード形状）の端子部７２と、第一実施形態のものと同様の回動式の押圧部６３とを有している。また、アダプタ本体７１には、その差し込み方向側端部と反対側となる後端部に開口するとともに、小型のメモリカード２４を挿着可能な穴サイズを有するスロット７０ａが形成されている。
【００７２】
電池蓋２０からアダプタ７０を取り外すと、その押圧部６３を回動させて突出位置へ配置した状態とし、かつアダプタ本体７１の後端部に開口するスロット７０ａへ大型のメモリカード２５（ＳＤカード）を挿着する。そして、アダプタ７０をデジタルカメラ１１のカードスロット６９へ挿着する。すると、アダプタ７０側の押圧部６３が、デジタルカメラ１１側の検出スイッチ２６の接片２６ｂを押し込んで、検出スイッチ２６がオンする。よって、大型のメモリカード対応のカードスロット６９にアダプタ３１を介して小型のメモリカード２４を電気的に接続させることで、デジタルカメラ１１において小型のメモリカード２４を使用できるようになるうえ、電池蓋２０を閉められなくても、アダプタ挿着時に検出スイッチ２６をオンさせることができる。
【００７３】
前記実施形態は上記に限定されず、以下の態様に変更することもできる。
（変形例１）開閉蓋の閉状態を検知する検知手段は、接触式検知手段に限定されない。例えば非接触式の検知手段も採用できる。非接触の検知手段としては、例えば光センサを採用できる。この場合、アダプタには、光センサからの出射光を反射するミラー（被検知部）が設けられており、ミラーで反射した反射光を光センサが検知する。光センサが反射光を検知すると、電源制御部５８は、電池蓋２０が閉じていると判断して電子機器の電源をオンさせる。
【００７４】
（変形例２）電子カードはメモリカードや通信デバイス内蔵型カードに限定されない。メモリカード用のカードスロットに差し込んで使用できるその他の種類の電子カードでもよい。電子カードは、例えばＧＰＳ内蔵型カードでもよい。
【００７５】
（変形例３）開閉蓋は、電池収容室の蓋を兼ねた電池蓋２０に限定されず、少なくともデジタルカメラのカードスロットの蓋であれば足りる。例えばカードスロット専用の開閉蓋であっても構わない。
【００７６】
（変形例４）電源電池２２は、充電池に限定されない。例えば乾電池でもよい。この場合、電池蓋が開いていると、電池蓋の裏面（内面）に設けられている導通用金属端子によって電池収容室内の複数本（例えば２本）の電池の電極を導通できなくなるので、アダプタには、電子機器の電池収容室に収容される複数本の電池の蓋側の電極（例えば一の電池のプラス極と他の電池のマイナス極）を互いに導通するための導通金属端子を設ける。この構成よれば、アダプタをカードスロットに挿着すれば、アダプタ側の導通用金属端子によって、電池収容室内に収容された複数本の電池の各電極を互いに接続できるので、アダプタが邪魔になって電池蓋を開けたままでも、電子機器に電源電池による電源電圧を供給できる。
【００７７】
（変形例５）アダプタは、カメラの一部に対して脱着可能なカメラと一体型の構成でなくてもよい。アダプタは、例えばカメラと別体でもよい。
（変形例６）本発明における電子機器は、デジタルカメラに限定されず、銀塩カメラ、携帯電話、ＰＤＡ、携帯用ゲーム機などその他の電子機器であってもよい。要するに、カードスロットと、開閉蓋を閉じたことを検知する検知手段とを備え、検知手段による開閉蓋の閉状態の検知を条件に電源がオンされる構成の電子機器であれば足りる。
【図面の簡単な説明】
【００７８】
【図１】第一実施形態におけるデジタルカメラの正面図。
【図２】（ａ）小型メモリカード、（ｂ）大型メモリカードを示す平面図。
【図３】（ａ）（ｂ）検出機構を示す模式正断面図
【図４】デジタルカメラの電気的構成を示すブロック図。
【図５】アダプタ一体状態の電池蓋を示す（ａ）平面図、（ｂ）側面図。
【図６】アダプタ分離状態の電池蓋を示す（ａ）平面図、（ｂ）側面図。
【図７】（ａ）（ｂ）アダプタの使用方法を説明する正面図。
【図８】（ａ）（ｂ）第二実施形態におけるアダプタを示す平面図。
【図９】（ａ）（ｂ）第三実施形態におけるアダプタを示す平面図。
【図１０】第四実施形態におけるデジタルカメラ及びアダプタを示す正面図。
【図１１】第五実施形態におけるデジタルカメラ及びアダプタを示す正面図。
【符号の説明】
【００７９】
１１…電子機器としてのデジタルカメラ、１２…カメラ本体、１３…撮像レンズ、１６…レリーズボタン、１７…電源スイッチ、２０…電池蓋、２１…電池収容室、２２…電池としての電源電池、２３…カードスロット、２４…メモリカード、２５…電子カードとしてのメモリカード、２６…検知手段としての検出スイッチ、２６ｂ…被押圧部としての接片、３０…蓋本体、３１…電子カード用アダプタとしてのアダプタ、３１ａ…挿着部としてのスロット、４０…マイクロコンピュータ、４４…操作部、４８…電源手段を構成する電源回路、５１…制御部、５８…電源手段を構成する電源制御部、６１…アダプタ本体、６２…端子部、６３…被検知部としての押圧部、６６…付勢手段としてのバネ、６８…電子カードとしての通信デバイス内蔵型カード、６９…カードスロット、７０…電子カード用アダプタとしてのアダプタ、７０ａ…挿着部としてのスロット、７１…アダプタ本体、７２…端子部。
【図１】
2010146517.tif 000003
【図２】
2010146517.tif 000004
【図３】
2010146517.tif 000005
【図４】
2010146517.tif 000006
【図５】
2010146517.tif 000007
【図６】
2010146517.tif 000008
【図７】
2010146517.tif 000009
【図８】
2010146517.tif 000010
【図９】
2010146517.tif 000011
【図１０】
2010146517.tif 000012
【図１１】
2010146517.tif 000013